(57)【要約】【課題】製造工程を簡単化することができ、かつブラシ部の挿抜操作性を改善することができる塗布具付き容器を提供する。【解決手段】ブラシ部を有する塗布具が液状塗布物を収容する容器本体の開口部から挿抜自在に挿入される塗布具付き容器において、容器本体の開口部に設けられ、塗布具に係脱自在に係合する保持体１２と、保持体１２に一体的に形成され、容器本体に挿抜されるブラシ部に接触して液状塗布物をしごき落とす絞り部１６と、絞り部１６の剛性を低下させるスリット１８とを備えた。【選択図】　　　　　図４
2004073525.tif 000002
【特許請求の範囲】
【請求項１】
ブラシ部を有する塗布具が液状塗布物を収容する容器本体の開口部から挿抜自在に挿入される塗布具付き容器において、
上記容器本体の開口部に設けられ、上記塗布具に係脱自在に係合する保持体と、該保持体に一体的に形成され、上記容器本体に挿抜される上記ブラシ部に接触して液状塗布物をしごき落とす絞り部と、上記絞り部の剛性を低下させる剛性調整手段とを備えたことを特徴とする塗布具付き容器。
【請求項２】
前記剛性調整手段が前記絞り部に形成されたスリットであり、該スリットが前記ブラシ部の周囲に沿って螺旋状に形成されていることを特徴とする請求項１に記載の塗布具付き容器。
【発明の詳細な説明】
【０００１】
【発明の属する技術分野】
本発明は、製造工程を簡単化することができ、かつブラシ部の挿抜操作性を改善することができる塗布具付き容器に関する。
【０００２】
【従来の技術】
従来、いつでもどこでも手軽にマスカラなどの液状塗布物で化粧をすることができるように、液状塗布物を収納する容器本体と、この容器本体内へ挿抜自在に挿入されて液状塗布物が付着されるブラシ部を有する塗布具とを備えた携帯用の塗布具付き容器が知られている（実公昭６１−２７５３１参照）。
【０００３】
この種の塗布具付き容器では、筒状の容器本体に形成した開口部に、ブラシ部を挿抜自在とする穴部を有し、かつ塗布具を係脱自在に係合して容器本体に保持させる保持体を設けるとともに、この保持体に別部品として組み込んで、ブラシ部を容器本体から抜き出す際に、ブラシ部に付着した液状塗布物をしごき落とす絞り体を設けていた。絞り体には、穴部よりも小さな一定の孔径の小孔を形成し、この小孔をブラシ部が通過する際に液状塗布物をしごき落とすようになっていた。そして、塗布具を保持体から離脱させ、ブラシ部を容器本体内方から抜き出すと、このブラシ部には、小孔でしごき落とされて適量となった液状塗布物が付着されていて、これにより化粧をすることができるようになっていた。
【０００４】
【発明が解決しようとする課題】
ところで、従来の塗布具付き容器にあっては、製造工程が複雑であるという課題があった。詳細には、保持体と絞り体とが別部品であるため、これらをそれぞれ別々に成形しなければならないとともに、これらを組み立てた上で容器本体の開口部に組み込まなければならず、組立作業性が悪く、従って生産性も低かった。
【０００５】
また、ブラシ部の挿抜操作性が良くないという課題があった。絞り部の小孔は上述したように、その孔径が変化しない一定のものであるため、液状塗布物を取り出すために容器本体内方へブラシ部を挿入したり抜き出したりする際に、ブラシ部が僅かでも傾いたりすると小孔への挿抜がきつくなって引っかかりやすくなり操作しにくいとともに、小孔への挿抜がきつくなるとブラシ部への液状塗布物の付着量が極端に少なくなってしまって、液状塗布物を取り出すための挿抜操作を何度も繰り返さなければならず煩わしいという問題もあった。
【０００６】
本発明は上記従来の課題に鑑みて創案されたものであって、製造工程を簡単化することができ、かつブラシ部の挿抜操作性を改善することができる塗布具付き容器を提供することを目的とする。
【０００７】
【課題を解決するための手段】
本発明にかかる塗布具付き容器は、ブラシ部を有する塗布具が液状塗布物を収容する容器本体の開口部から挿抜自在に挿入される塗布具付き容器において、上記容器本体の開口部に設けられ、上記塗布具に係脱自在に係合する保持体と、該保持体に一体的に形成され、上記容器本体に挿抜される上記ブラシ部に接触して液状塗布物をしごき落とす絞り部と、上記絞り部の剛性を低下させる剛性調整手段とを備えたことを特徴とする。これにより、製造工程を簡単化することが可能となり、併せてブラシ部の挿抜操作性の改善も図り得る。
【０００８】
また、前記剛性調整手段が前記絞り部に形成されたスリットであり、該スリットが前記ブラシ部の周囲に沿って螺旋状に形成されていることを特徴とする。これにより、ブラシ部を容器本体から抜き出す際に、ブラシ部に付着した液状塗布物をムラなくしごき落とすことが可能になる。
【０００９】
【発明の実施の形態】
以下に、本発明にかかる塗布具付き容器の好適な一実施形態を、添付図面を参照して詳細に説明する。本実施形態にかかる塗布具付き容器１は図１〜図４に示すように、ブラシ部２を有する塗布具３と、液状塗布物を収容する容器本体４とから主に構成される。塗布具３は、一端が開放されかつ他端が封鎖された筒体状のキャップ５を備える。キャップ５の内部には、開放された一端側に、その内周面に沿ってネジ部６が形成されるとともに、このネジ部６よりも奥の他端側に、ネジ部６よりも小さな内径で凹陥部７が形成される。ブラシ部２は、軸部８と、軸部８の一端に一体的に形成されたブラシ体９と、ブラシ体９と反対側の軸部８の他端に一体的に形成された筒状の嵌着部１０とから構成され、嵌着部１０が凹陥部７に挿入されることにより、軸部８を介してブラシ体９がキャップ５外方に露出された状態で、キャップ５に取り付けられる。
【００１０】
他方、容器本体４は、一端に開口部１１を有しかつ他端が封鎖された、ブラシ体９よりも大きな内径寸法の筒体状に形成され、その内部に液状塗布物が収容される。そして塗布具３は、容器本体４の開口部１１からその内部に挿抜自在に挿入され、これによりそのブラシ部２に液状塗布物が付着されるようになっている。容器本体４の開口部１１には、容器本体４とは別部品として成形され、塗布具３に係脱自在に係合する保持体１２が設けられる。この保持体１２は例えば合成樹脂材によって、ブラシ体９よりも大きな内径の貫通穴１３を有する中空筒体状に形成され、容器本体４の開口部１１内方に装着される装着部１４が一端に形成されるとともに、他端の外周面に、キャップ５のネジ部６と係脱自在に係合されるネジ条１５が形成される。保持体１２は、その装着部１４が容器本体４の開口部１１へ挿入されることにより、当該開口部１１を封止しつつ容器本体４に取り付けられるようになっている。
【００１１】
この保持体１２にはこれと一体的に、容器本体４に挿抜されるブラシ部２に接触して液状塗布物をしごき落とす絞り部１６が形成される。この絞り部１６は保持体１２の内周面、図示例にあってはネジ条１５が形成された保持体１２の他端側内周面に、これより貫通穴１３へ張り出して、かつ容器本体４内方へ向かって次第に先細りとなる錐体状に形成され、この先細りの先端部には、ブラシ体９の外径よりも細い、ほぼ軸部８相当の孔径で孔部１７が形成される。従って、容器本体４に挿抜されるブラシ体９、また軸部８も、この孔部１７に接触してこれらから液状塗布物がしごき落とされるようになっている。図示例にあっては錐体状の絞り部１６が示されているが、ディスク状であってもよいことはもちろんである。しかしながら、錐体状の絞り部１６であれば、ディスク状の場合に比べて、ブラシ体９や軸部８の容器本体４内方への挿入操作を案内することができて好ましい。
【００１２】
そしてさらに絞り部１６には、その剛性を低下させる剛性調整手段としてスリット１８が形成され、これによりスリット１８間が曲げ変形可能な弾性片１９として構成される。このスリット１８は、孔部１７から錐体状の絞り部１６の母線に沿って形成される。またスリット１８は、絞り部１６の周方向に適宜間隔を隔てて複数個、図示例にあっては４つ形成されている。このようにスリット１８を形成すると、弾性変形される弾性片１９によって、絞り部１６は広がるように拡縮変形可能となり、従ってまた孔部１７の孔径も増減変化される。
【００１３】
このように構成された本実施形態にかかる塗布具付き容器１の作用について述べると、化粧をする際には、ネジ条１５からネジ部６を離脱させて容器本体４からキャップ５を外し、ブラシ部２の軸部８およびブラシ体９を容器本体４から引き抜いていく。引き抜いていくと、軸部８、そしてまたブラシ体９は絞り部１６の孔部１７を通過し、この際、孔部１７と接触して液状塗布物がしごき落とされ、ブラシ体９には孔部１７でしごき落とされて適量となった液状塗布物が付着される。
【００１４】
特に、本実施形態の塗布具付き容器１にあっては、絞り部１６に剛性調整手段としてスリット１８を設けて弾性片１９を形成したので、挿抜される軸部８やブラシ体９の当該挿抜操作に対して絞り部１６自体が拡縮変形したり、そしてまた孔部１７の孔径が増減変化して、軸部８やブラシ体９の動きに絞り部１６や孔部１７を柔軟に対応させることができる。これにより、従来技術にあっては小孔の孔径が一定であったために、ブラシ部が僅かでも傾いたりすると小孔への挿抜がきつくなって引っかかりやすくなり操作しにくいとともに、小孔への挿抜がきつくなるとブラシ部への液状塗布物の付着量が極端に少なくなってしまって、液状塗布物を取り出すための挿抜操作を何度も繰り返さなければならず煩わしかったという問題を解決できて、ブラシ部２の挿抜操作性を改善することができる。
【００１５】
そして、ブラシ部２を容器本体４から完全に抜き出せば、これを用いて化粧をすることができる。また化粧をし終えた後は、ブラシ部２を容器本体４内に挿入してキャップ５および保持体１２のネジ部６とネジ条１５を係合させればよい。
【００１６】
また本実施形態にあっては、保持体１２に絞り部１６を一体的に形成したので、製造工程を簡単化することができる。これにより、従来技術にあっては、保持体と絞り体とが別部品であったため、これらをそれぞれ別々に成形しなければならないとともに、これらを組み立てた上で容器本体の開口部に組み込まなければならず、組立作業性が悪く、従って生産性も低かったという問題を解決できて、生産性を向上させることができる。特にスリット１８は、絞り部１６の剛性を低下させる効果が大きいとともに、成形もきわめて簡単であって、合理的である。
【００１７】
図５には、上記実施形態の変形例が示されている。この変形例はスリット１８の数を増やしたもので、このようにすれば絞り部１６の柔軟性をさらに高めることができて、ブラシ部２の挿抜操作性を向上させることができる。図６には、上記実施形態の他の変形例が示されている。この変形例は、スリット１８の向きを、母線Ｂに対して傾斜させたもので、このようにすればスリット１８間に挟まれた弾性片１９に、曲げ変形に加えて、ねじり変形も生じさせることができ、液状塗布物をさらにムラなくしごき落とすことができる。図７および図８には、上記実施形態のさらに他の変形例が示されている。この変形例は、絞り部１６の先細りの先端部に、筒体状のリップ部２０を付加したもので、このようにすればリップ部２０によって軸部８もしくはブラシ体９をその周りから圧搾するように押圧することができ、さらに効果的に液状塗布物をしごき落とすことができる。
【００１８】
図９には、図７および図８に示した変形例に対して、スリット１８の形状を変更した例が示されている。スリット１８はリップ部２０から絞り部１６にわたって、母線Ｂに沿う一対の直線状スリット部分１８ａ間に、母線Ｂに対して傾斜させた斜めのスリット部分１８ｂを形成して構成される。このようにすれば、図６の場合と同様に、スリット１８間に挟まれた弾性片１９に、曲げ変形に加えて、ねじり変形も生じさせることができ、液状塗布物をさらにムラなくしごき落とすことができる。図１０には、図７および図８に示した変形例に対して、他のスリット１８の形状を採用した例が示されている。スリット１８はリップ部２０から絞り部１６にわたり、ブラシ部２の周囲に沿って螺旋状に形成される。このような構成にあっても、スリット１８間に挟まれた弾性片１９に、曲げ変形に加えて、ねじり変形も生じさせることができ、液状塗布物をさらにムラなくしごき落とすことができる。
【００１９】
また図示しないけれども、剛性調整手段としては、スリット１８に代えて、弾性片１９間に蛇腹体を形成するようにしても良い。このようにすれば、スリット１８のように弾性片１９間に隙間が生じることはなく、より効果的に液状塗布物をしごき落とすことができる。また剛性調整手段として、絞り部１６の肉厚を、先細りされる先端部に向かって順次薄くする構成を採用しても良い。また、剛性調整手段として、絞り部１６を、保持体１２とは異なるそれよりも小さな剛性の材質とする構成を採用して、両者を一体成形するようにしても良い。以上説明したいずれの変形例にあっても、上記実施形態と同様な作用・効果を奏することはもちろんである。
【００２０】
【発明の効果】
以上要するに、本発明にかかる塗布具付き容器にあっては、製造工程を簡単化することができ、かつブラシ部の挿抜操作性を改善することができる。
【図面の簡単な説明】
【図１】本発明にかかる塗布具付き容器の好適な一実施形態を示す、一部破断分解斜視図である。
【図２】図１の塗布具付き容器の側断面図である。
【図３】図１の塗布具付き容器に適用される保持体を示す側断面図である。
【図４】図１の塗布具付き容器に適用される保持体を示す斜視断面図である。
【図５】図１の塗布具付き容器に適用される保持体の変形例を示す斜視断面図である。
【図６】図１の塗布具付き容器に適用される保持体の他の変形例を示す斜視断面図である。
【図７】図１の塗布具付き容器に適用される保持体の他の変形例を示す斜視断面図である。
【図８】図７の保持体を示す部分拡大側断面図である。
【図９】図１の塗布具付き容器に適用される保持体の他の変形例を示す部分拡大側断面図である。
【図１０】図１の塗布具付き容器に適用される保持体の他の変形例を示す部分拡大斜視図である。
【符号の説明】
１　塗布具付き容器　　　　　　　　　２　ブラシ部
３　塗布具　　　　　　　　　　　　　４　容器本体
１１　容器本体の開口部　　　　　　　１２　保持体
１６　絞り部　　　　　　　　　　　　１８　スリット
【図１】
2004073525.tif 000003
【図２】
2004073525.tif 000004
【図３】
2004073525.tif 000005
【図４】
2004073525.tif 000006
【図５】
2004073525.tif 000007
【図６】
2004073525.tif 000008
【図７】
2004073525.tif 000009
【図８】
2004073525.tif 000010
【図９】
2004073525.tif 000011
【図１０】
2004073525.tif 000012